(57)【要約】【課題】  自動販売機に設置した、互いに対向するように伸びて接離方向に変位可能な一対のアームを備えた保持体に、半割状商品見本を嵌合して取り付けるための取付補助具を提供する。【課題の解決手段】  取付補助具１は、板状の基部２と、この基部２の両端の上半分から互いに平行に延びる各第１挟持片３ａ，４ａ及び前記両端の下半分から互いに平行に延びて各第１挟持片３ａ，４ａとは基部２の長手方向にずれて内側に位置する各第２挟持片３ｂ，４ｂからなり、半割状商品見本の両側部を第１挟持片３ａ，４ａと第２挟持片３ｂ，４ｂで挟み込むことにより着脱可能に半割状商品見本の両側部を内側と外側から挟持する左右一対の商品見本支持部３，４と、基部２に商品見本支持部３，４とは反対方向に伸びるよう設け、保持体に嵌合したときに先端が商品見本装着台の取付壁に当接する一対の板部材５ａ，５ｂからなる位置決め部５とからなるものである。【選択図】    図１
2005190393.tif 000002
【特許請求の範囲】
【請求項１】
互いに対向するように伸びて接離方向に変位可能な一対のアームを備えた保持体を取付壁に設けてなる商品見本装着台に、前記保持体に嵌合して半割状商品見本を取り付けるための補助具であって、前記半割状商品見本の両側部に対して着脱可能にその内側と外側から挟持する左右一対の商品見本支持部と、前記保持体に嵌合したときに前記商品見本装着台の取付壁に当接する位置決め部とからなることを特徴とする自動販売機用半割状商品見本取付補助具。
【請求項２】
互いに対向するように伸びて接離方向に変位可能な一対のアームを備えた保持体を取付壁に設けてなる商品見本装着台に、前記保持体に嵌合して半割状商品見本を取り付けるための補助具であって、基部と、この基部の両端から互いに平行に延び、前記半割状商品見本の両側部に対して着脱可能にその内側と外側から挟持する左右一対の商品見本支持部と、前記基部に前記商品見本支持部とは反対方向に伸びるよう設け、前記保持体に嵌合したときに先端が前記商品見本装着台の取付壁に当接する位置決め部とからなることを特徴とする自動販売機用半割状商品見本取付補助具。
【請求項３】
互いに対向するように伸びて接離方向に変位可能な一対のアームを備えた保持体を取付壁に設けてなる商品見本装着台に、前記保持体に嵌合して半割状商品見本を取り付けるための補助具であって、板状の基部と、この基部の両端の上半分から互いに平行に延びる各第１挟持片及び前記両端の下半分から互いに平行に延びて前記各第１挟持片とは前記基部の長手方向にずれて位置する各第２挟持片からなり、前記半割状商品見本の両側部を前記第１挟持片と前記第２挟持片で挟み込むことにより着脱可能に前記半割状商品見本の両側部を内側と外側から挟持する左右一対の商品見本支持部と、前記基部に前記商品見本支持部とは反対方向に伸びるよう設け、前記保持体に嵌合したときに先端が前記商品見本装着台の取付壁に当接する一対の板部材からなる位置決め部とからなることを特徴とする自動販売機用半割状商品見本取付補助具。
【発明の詳細な説明】
【技術分野】
【０００１】
本発明は、自動販売機において、商品購入者が視認可能な位置に設置し、互いに対向するように伸びて接離方向に変位可能な一対のアームを備えた保持体を取付壁に設けてなる商品見本装着台に、半割状商品見本を前記保持体に対して取り付けるための取付補助具に関する。
【背景技術】
【０００２】
従来の自動販売機における商品見本装着台として、互いに対向するように伸びて接離方向に変位可能な、通常金属板からなる一対のアームを備えた保持体を、取付壁に設けたものが存在する。この保持体に嵌合して装着する商品見本は、商品と同一形状の樹脂製見本が一般的である。
【特許文献１】特開２０００−１３２７４０号公報
【発明の開示】
【発明が解決しようとする課題】
【０００３】
一方、商品見本として、近年、製造コストや一度に多数の搬送が可能などの利点があるため、従来の商品形状にならった樹脂製見本を前後に半割状にした、半割状商品見本の利用が増加している。ところが、従来の互いに対向するように伸びて接離方向に変位可能な一対のアームを備えた保持体に、半割状商品見本を嵌合すると、半割状商品見本の両側部が前記一対のアームによって内側に押圧されて変形し、商品見本としての見栄えが悪いという不都合を生じるため、この種保持体には半割状商品見本を使用できないという問題がある。本発明は、この問題を解決して、従来の互いに対向するように伸びて接離方向に変位可能な一対のアームを備えた保持体に、半割状商品見本を取り付けるための取付補助具を提供することを目的とする。
【課題を解決するための手段】
【０００４】
この目的を達成するため、本発明の請求項１に係る自動販売機用半割状商品見本取付補助具は、互いに対向するように伸びて接離方向に変位可能な一対のアームを備えた保持体を取付壁に設けてなる商品見本装着台に、前記保持体に嵌合して半割状商品見本を取り付けるための補助具であって、前記半割状商品見本の両側部に対して着脱可能にその内側と外側から挟持する左右一対の商品見本支持部と、前記保持体に嵌合したときに前記商品見本装着台の取付壁に当接する位置決め部とからなるものである。
【０００５】
同じく上記目的を達成するために、本発明の請求項２に係る自動販売機用見本体保持具は、互いに対向するように伸びて接離方向に変位可能な一対のアームを備えた保持体を取付壁に設けてなる商品見本装着台に、前記保持体に嵌合して半割状商品見本を取り付けるための補助具であって、基部と、この基部の両端から互いに平行に延び、前記半割状商品見本の両側部に対して着脱可能にその内側と外側から挟持する左右一対の商品見本支持部と、前記基部に前記商品見本支持部とは反対方向に伸びるよう設け、前記保持体に嵌合したときに先端が前記商品見本装着台の取付壁に当接する位置決め部とからなるものである。
【０００６】
同じく上記目的を達成するために、本発明の請求項３に係る自動販売機用半割状商品見本取付補助具は、互いに対向するように伸びて接離方向に変位可能な一対のアームを備えた保持体を取付壁に設けてなる商品見本装着台に、前記保持体に嵌合して半割状商品見本を取り付けるための補助具であって、板状の基部と、この基部の両端の上半分から互いに平行に延びる各第１挟持片及び前記両端の下半分から互いに平行に延びて前記各第１挟持片とは前記基部の長手方向にずれて位置する各第２挟持片からなり、前記半割状商品見本の両側部を前記第１挟持片と前記第２挟持片で挟み込むことにより着脱可能に前記半割状商品見本の両側部を内側と外側から挟持する左右一対の商品見本支持部と、前記基部に前記商品見本支持部とは反対方向に伸びるよう設け、前記保持体に嵌合したときに先端が前記商品見本装着台の取付壁に当接する一対の板部材からなる位置決め部とからなるものである。
【発明の効果】
【０００７】
本発明の請求項１に係る自動販売機用半割状商品見本取付補助具によれば、半割状商品見本を、互いに対向するように伸びて接離方向に変位可能な一対のアームを備えた保持体に、変形することなく嵌合して容易に取り付けることができるという効果を奏する。
【０００８】
本発明の請求項２に係る自動販売機用半割状商品見本取付補助具によれば、簡単な構成で、半割状商品見本を、互いに対向するように伸びて接離方向に変位可能な一対のアームを備えた保持体に、変形することなく嵌合して容易に取り付けることができるという効果を奏する。
【０００９】
本発明の請求項３に係る自動販売機用半割状商品見本取付補助具によれば、簡単な構成で、半割状商品見本を確実に支持したうえ、互いに対向するように伸びて接離方向に変位可能な一対のアームを備えた保持体に、変形することなく嵌合して容易、かつ確実に取り付けることができるという効果を奏する。
【発明を実施するための最良の形態】
【００１０】
以下、本発明の好適な実施形態を添付図面に基づいて説明する。ここにおいて、図１は取付補助具の斜視図、図２は取付補助具を装着した半割状商品見本を保持体に嵌合する前状態を示す平面図、図３はその嵌合状態を示す平面図、図４は同じく側面図である。
【００１１】
図１に示すように、取付補助具１は硬質合成樹脂を一体成形したものであり、板状の基部２と、この基部２の両端に左右一対設けた商品見本支持部３，４と、前記基部２に前記商品見本支持部３，４とは反対方向に伸びるよう設け、後述する保持体に嵌合したときに、先端が後述する商品見本装着台の取付壁に当接する一対の平行な板部材５ａ，５ｂからなる位置決め部５とからなる。
【００１２】
各商品見本支持部３，４は、基部２の両端の上半分から互いに平行に延びる各第１挟持片３ａ，４ａと、前記両端の下半分から互いに平行に延びて前記各第１挟持片３ａ，４ａとは前記基部２の長手方向にずれて位置する各第２挟持片３ｂ，４ｂからなる。そして、後述する半割状商品見本の両側部を前記第１挟持片３ａ，４ａと前記第２挟持片３ｂ，４ｂで挟み込むことにより着脱可能に半割状商品見本の両端部を内側と外側から挟持するものである。
【００１３】
次に、商品見本装着台について説明する。図２〜図４に示すように、商品見本装着台１１は、自動販売機（図示せず）内の商品見本展示部（図示せず）に配置して固定するもので、載置台１２と、この載置台１２に対して垂直な取付壁１３からなる。この商品見本装着台１１の長さは、前記商品見本展示部の長さに対応している。前記取付壁１３には、互いに対向するように伸びて接離方向に変位可能な一対の金属製の保持アーム１４ａ，１４ｂからなる保持体１４を設けている。そして、この保持体１４の数は、前記商品見本装着台１１の長さ及び自動販売機で販売する商品の種類数に応じて決定される。
【００１４】
続いて、保持体１４に嵌合する半割状商品見本について説明する。図２〜図４に示すように、半割状商品見本２１は、ボトル状の中空成形商品容器を前後に半割状にした形状で光透過性を有する合成樹脂製である。そして、図示してはいないが、商品容器のデザインにならった図柄や文字を表示している。
【００１５】
ここで、以上のように構成した取付補助具１を用いて行う、商品見本装着台１１の保持体１４への半割状商品見本２１の取付動作を説明する。まず、図２に示すように、半割状商品見本２１の両側部２１ａ，２１ｂを前記第１挟持片３ａ，４ａと前記第２挟持片３ｂ，４ｂで挟み込むことにより、前記半割状商品見本２１の両端部２１ａ，２１ｂを内側と外側から挟持する。このとき、前記第１挟持片３ａ，４ａと前記第２挟持片３ｂ，４ｂのいずれを上側にし、いずれを下側にして挟持するかは、特に限定されず、いずれを選択してもよいが、その取付位置は、前記半割状商品見本２１を保持体１４に嵌合する際に、前記第１挟持片３ａ，４ａと前記第２挟持片３ｂ，４ｂのいずれか一方が、前記一対の保持アーム１４ａ，１４ｂに対応する位置が最適である（図４参照）。
【００１６】
このように、取付補助具１を取り付けた半割状商品見本２１を、図３及び第４に示すように、各保持アーム１４ａ，１４ｂの先端側を離反するように押し開いて挿入し、保持体１４に嵌合する。図４に示すように、この嵌合状態では、各保持アーム１４ａ，１４ｂに、半割状商品見本２１の内側に位置する各第２挟持片３ｂ，４ｂが対応し、前記各保持アーム１４ａ，１４ｂの押圧力をこれら各第２挟持片３ｂ，４ｂで受けて、半割状商品見本２１の変形を防ぐとともに、板部材５ａ，５ｂの先端が取付壁１３に当接して位置決めし、半割状商品見本２１を所定位置に安定した状態で確実に保持する。
【００１７】
一方、半割状商品見本２１の交換にあたっては、半割状商品見本２１を取付補助具１とともに保持体１４から外し、さらに、前記取付補助具１を前記半割状商品見本２１から取り外した後、上述のようにして、新たな半割状商品見本２１に再び前記取付補助具１を取り付けて、当該保持体１４に嵌合すればよいものである。
【００１８】
なお、本発明は上述の実施形態に限定されるものではなく、例えば、取付補助具１の構成としては、基部２を２枚の板体で構成して各板体に各別に第１挟持片３ａ，４ａと第２挟持片３ｂ，４ｂを設けるとともに、板部材５ａ，５ｂで一体的に連結したり、第１挟持片３ａ，４ａと第２挟持片３ｂ，４ｂを、上下にずらすことなく、同一高さ位置で半割状商品見本２１の両側部２１ａ，２１ｂを挟持できるように間隔をおいて設けたり、位置決め部５を２枚の板部材５ａ，５ｂではなく、１枚あるいは３枚の板部材で構成してもよい。また、半割状商品見本２１の形状は、半割状であれば、ボトル状のほか、缶状やカップ状の各種飲料容器にならった形状でもよい。
【図面の簡単な説明】
【００１９】
【図１】取付補助具の斜視図。
【図２】取付補助具を装着した半割状商品見本を保持体に嵌合する前状態の平面図。
【図３】取付補助具を装着した半割状商品見本を保持体に嵌合した状態を示す平面図。
【図４】取付補助具を装着した半割状商品見本を保持体に嵌合した状態を示す側面図。
【符号の説明】
【００２０】
１      取付補助具
２      基部
３，４      商品見本支持部
３ａ，４ａ      第１挟持片
３ｂ，４ｂ      第２挟持片
５      位置決め部
５ａ，５ｂ      板部材
１１      商品見本装着台
１３      取付壁
１４      保持体
１４ａ，１４ｂ      保持アーム
２１      半割状商品見本
２１ａ，２１ｂ      両側部
【図１】
2005190393.tif 000003
【図２】
2005190393.tif 000004
【図３】
2005190393.tif 000005
【図４】
2005190393.tif 000006